(57)【要約】【課題】独立して動作する複数の装置を備えた１つの複合装置であって、各装置から操作表示部を共用できるようにして操作表示部を１個にした複合装置を提供する。【解決手段】独立して動作する第１、第２の装置１００、２００と、各装置で共用される操作表示手段３００を備えた複合装置１０である。第１、第２の装置は表示データを記憶する表示メモリ１０５、２０５と、記憶された表示データを操作表示手段に表示させるための描画制御手段１０３、２０３を有し、複合装置はさらに、操作表示手段と各描画制御手段との接続を選択的に切替え可能なセレクタ３０と、各装置から発行された接続要求に応じて、操作表示手段と各描画制御手段との接続切替えをセレクタに実行させる切替え制御手段２０を備え、接続要求を行った装置の描画制御手段は、操作表示手段と接続された状態で、表示メモリに記憶された表示データを操作表示部３００に表示させる。【選択図】図１
2018093360.tif 000002
【特許請求の範囲】
【請求項１】
独立して動作する第１及び第２の装置と 前記第１及び第２の装置で共用される操作表示手段とを備えた複合装置であって、
前記第１及び第２の装置はそれぞれ、前記操作表示手段に表示される表示データを記憶する表示メモリと、該表示メモリに記憶された表示データを操作表示手段に表示させるための制御を行う描画制御手段とを有し、
前記複合装置はさらに、
前記操作表示手段と第１または第２の装置の描画制御手段との接続を選択的に切替え可能なセレクタと、
自装置の描画制御手段と前記操作表示手段との接続を求める第１または第２の装置から発行された接続要求を受信すると共に、受信した接続要求に応じて、前記セレクタによる操作表示手段と第１または第２の装置の描画制御手段との接続切替えを実行する切替え制御手段と、
を備え、
前記接続要求を行った第１または第２の装置の描画制御手段は、前記操作表示手段と接続された状態で、前記表示メモリに記憶された表示データを前記操作表示手段に表示させることを特徴とする複合装置。
【請求項２】
第１または第２の装置のうちの１つが画像形成装置であり、
前記切替え制御部は、操作表示手段に表示された操作画面上で画像形成装置の機能が選択操作されたときに、前記セレクタによる操作表示手段と画像形成装置の描画制御手段との接続を実行し、画像形成装置の描画制御手段との接続解除操作が行われたときに、前記セレクタによる操作表示手段と画像形成装置の描画制御手段との接続を解除する請求項１に記載の複合装置。
【請求項３】
前記操作表示手段の表示画面内に、第１または第２の装置との接続を切り替えるための切替えボタンが表示され、
前記切替え制御手段は、前記切替えボタンが操作されたときに、切替え先装置からの接続要求に基づいて、前記セレクタにより操作表示手段と切替え先装置の描画制御手段とを接続する請求項１または２に記載の複合装置。
【請求項４】
前記セレクタによる接続切替え後において、切替え前に接続されていた第１または第２の装置の描画制御手段は、切替えられた後も自装置の動作状態に応じて、前記表示メモリに記憶される表示データを更新し、その後に再度接続されたときは、更新された表示メモリに記憶されている最新の表示データを操作表示手段へ表示する請求項１〜３のいずれかに記載の複合装置。
【請求項５】
第１または第２の装置のうちの１つが画像形成装置であり、
該画像形成装置の描画制御手段は、操作表示手段に対する操作以外の画像形成装置側の操作が検出されたとき前記表示データを更新する請求項４に記載の複合装置。
【請求項６】
第１または第２の装置のうちの１つが、ファクシミリ回線及び／またはネットワーク回線を通じて外部からのデータを受信する外部データ入力手段を備えた画像形成装置であり、
該画像形成装置の描画制御手段は、前記外部データ入力手段により外部からのデータが受信されたとき前記表示データを更新する請求項４に記載の複合装置。
【請求項７】
第１または第２の装置のうちの１つが、携帯端末装置と連携接続される接続手段を備えた画像形成装置であり、
該画像形成装置の描画制御手段は、前記接続手段による携帯端末装置との連携接続が確立されたとき前記表示データを更新する請求項４に記載の複合装置。
【請求項８】
第１または第２の装置のうちの１つが、ジョブトラブルを検出するトラブル検出手段を備えた画像形成装置であり、
該画像形成装置の描画制御手段は、前記トラブル検出手段によりジョブトラブルが検出されたとき前記表示データを更新する請求項４に記載の複合装置。
【請求項９】
第１または第２の装置のうちの１つがメンテナンスモードに移行可能な画像形成装置であり、
該画像形成装置の描画制御手段は、メンテナンスモードへ移行したとき前記表示データを更新する請求項４に記載の複合装置。
【請求項１０】
前記セレクタによる接続切替えが行われたとき、切替え前に接続されていた第１または第２の装置の描画制御手段は、切替えられた後も切替え時に前記表示メモリに記憶されていた表示データを保持する請求項１〜３のいずれかに記載の複合装置。
【請求項１１】
前記切替え制御手段は、第１及び第２の装置のそれぞれから接続要因を含む接続要求を同時に受信したときは、予め設定された接続要因の優先順位に基づいて、優先順位の高い接続要因を含む接続要求を発行した装置の描画制御手段と操作表示手段とをセレクタにより接続する請求項１〜１０のいずれかに記載の複合装置。
【請求項１２】
前記セレクタによる接続切替えが行われたとき、切替え前に接続されていた第１または第２の装置の表示メモリに記憶されていた表示データが、第１及び第２の装置の機能を選択するための初期メニュー画面の表示データである場合、その装置の描画制御手段は、切り替えられた後は前記表示メモリに記憶されていた前記初期メニュー画面の表示データを保持しない請求項１〜３のいずれかに記載の複合装置。
【請求項１３】
切替え時に前記表示メモリに記憶されていた表示データが一時的な表示画面の表示データである場合、その装置の描画制御手段は、切替え後はその表示データを保持することなく、その表示データの前に保持されていた表示データを保持する請求項１０に記載の複合装置。
【請求項１４】
前記セレクタにより、操作表示手段と接続要求を発行した第１または第２の装置の描画制御手段とが接続されたのち、所定時間、操作表示手段の操作がなされずかつ前記装置の動作状態に変化がなかった場合、前記切替え制御手段は、接続されている第１または第２の装置との接続を解除し、初期接続される装置としてデフォルト設定されている第１または第２の装置の描画制御手段と操作表示手段とを前記セレクタにより接続する請求項１〜１３のいずれかに記載の複合装置。
【請求項１５】
前記セレクタにより、操作表示手段と接続要求を発行した第１または第２の装置の描画制御手段とが接続されたのち、接続された装置の動作が終了した場合、前記切替え制御手段は、初期接続される装置としてデフォルト設定されている第１または第２の装置の描画制御手段と操作表示手段とを前記セレクタにより接続する請求項１〜１４のいずれかに記載の複合装置。
【請求項１６】
第１及び第２の装置は表示データの表示解像度を変換する解像度変換手段を備え、
前記セレクタにより操作表示手段と接続される第１または第２の装置の解像度変換手段は、操作表示手段の表示解像度と自装置の表示解像度が異なる場合は、表示データの表示解像度を操作表示手段と同じ表示解像度に変換し、描画制御手段は解像度が変換された表示データを操作表示手段に表示する請求項１〜１５のいずれかに記載の複合装置。
【請求項１７】
第１及び第２の装置が共通する機能を有している場合、操作表示手段に表示される第１及び第２の装置の機能を選択するための初期メニュー画面において、共通する機能を選択するための操作ボタンは１つのみ表示され、
共通する機能を選択するための前記操作ボタンが操作されたときは、前記切替え制御手段は、予め設定された使用優先順位に基づき、第１または第２の装置のうち使用優先順位の高い装置の描画制御手段と操作表示手段とを前記セレクタにより接続する請求項１〜１６のいずれかに記載の複合装置。
【発明の詳細な説明】
【技術分野】
【０００１】
この発明は、多機能デジタル画像形成装置であるＭＦＰ（Multi Function Peripherala）等の画像形成装置とＰＣ（パーソナルコンピュータ）等の情報処理装置のように、独立して動作する複数の装置を備えた複合装置に関する。
【背景技術】
【０００２】
オフィス等では紙媒体を中心に扱う上記ＭＦＰの他に、電子データを扱うサーバーのような情報処理装置も多く使用されており、さらにこれらのＭＦＰと情報処理装置の両方を使用して複合的な処理を実行させることも一般に行われている。
【０００３】
このため、オフィス全体の装置の運用や管理を簡素化すること等を目的として、ＭＦＰと情報処理装置のような独立して動作する複数の装置を１つの筐体に収容して１つの複合装置として提供することが考えられている。
【０００４】
この場合、複合装置内の各装置は本来的にそれぞれ独立で動作可能であるため、操作画面等の各種の表示データを表示しかつユーザーが操作を行うための操作パネル等の操作表示手段を、各装置が別個独立に備えている構成も、勿論可能である。
【０００５】
しかし、この場合は１つの複合装置に複数の操作表示手段が存在することになり、ユーザーにとっては使い勝手が良くない上、操作表示手段は外部に露出していることからそれらの設置スペースも増加し、複数の装置を複合装置として１つに纏める意義が減殺されてしまう。
【０００６】
なお、特許文献１には、本体機器の機能を利用したアプリケーションの開発工数を低減可能な情報処理システムとして、エラー画面が予め対応付けられたメーカアプリと、エラー画面が対応付けられていないベンダーアプリとがＭＦＰに搭載され、ＭＦＰは表示部と異常検知部と描画部と制御部とを備えており、表示部は、表示対象のアプリケーションの画面を表示し、異常検知部は、ＭＦＰで発生したエラーを検知し、描画部は、エラーが検知された場合、メーカアプリの画面に対して、その検知されたエラーを報知するエラー画面を描画し、制御部は、ベンダーアプリの動作中にエラーが検知された場合、表示対象のアプリを、ベンダーアプリからメーカアプリに切り替えて、エラー画面を表示する制御を行うシステムが開示されている。
【先行技術文献】
【特許文献】
【０００７】
【特許文献１】特開２０１４−２４１４９４号公報
【発明の概要】
【発明が解決しようとする課題】
【０００８】
しかしながら、特許文献１に記載の技術は、ＭＦＰという１つの装置で処理が実行される技術であり、独立して動作する複数の装置を備えた１つの複合装置に関する技術ではない。
【０００９】
このため、複合装置において複数の操作表示部が備えられている場合に、使い勝手が良くないとか、設置スペースが増加するといった前述の問題に対して、特許文献１の技術は解決策を提供しうるものではなかった。
【００１０】
この発明は、このような技術的背景に鑑みてなされたものであって、独立して動作する複数の装置を備えた１つの複合装置であって、各装置から操作表示部を共用できるようにして操作表示部を１個にした複合装置を提供することを課題とする。
【課題を解決するための手段】
【００１１】
上記課題は、以下の手段によって解決される。
（１）独立して動作する第１及び第２の装置と 前記第１及び第２の装置で共用される操作表示手段とを備えた複合装置であって、前記第１及び第２の装置はそれぞれ、前記操作表示手段に表示される表示データを記憶する表示メモリと、該表示メモリに記憶された表示データを操作表示手段に表示させるための制御を行う描画制御手段とを有し、前記複合装置はさらに、前記操作表示手段と第１または第２の装置の描画制御手段との接続を選択的に切替え可能なセレクタと、自装置の描画制御手段と前記操作表示手段との接続を求める第１または第２の装置から発行された接続要求を受信すると共に、受信した接続要求に応じて、前記セレクタによる操作表示手段と第１または第２の装置の描画制御手段との接続切替えを実行する切替え制御手段と、を備え、前記接続要求を行った第１または第２の装置の描画制御手段は、前記操作表示手段と接続された状態で、前記表示メモリに記憶された表示データを前記操作表示手段に表示させることを特徴とする複合装置。
（２）第１または第２の装置のうちの１つが画像形成装置であり、前記切替え制御部は、操作表示手段に表示された操作画面上で画像形成装置の機能が選択操作されたときに、前記セレクタによる操作表示手段と画像形成装置の描画制御手段との接続を実行し、画像形成装置の描画制御手段との接続解除操作が行われたときに、前記セレクタによる操作表示手段と画像形成装置の描画制御手段との接続を解除する前項１に記載の複合装置。
（３）前記操作表示手段の表示画面内に、第１または第２の装置との接続を切り替えるための切替えボタンが表示され、前記切替え制御手段は、前記切替えボタンが操作されたときに、切替え先装置からの接続要求に基づいて、前記セレクタにより操作表示手段と切替え先装置の描画制御手段とを接続する前項１または２に記載の複合装置。
（４）前記セレクタによる接続切替え後において、切替え前に接続されていた第１または第２の装置の描画制御手段は、切替えられた後も自装置の動作状態に応じて、前記表示メモリに記憶される表示データを更新し、その後に再度接続されたときは、更新された表示メモリに記憶されている最新の表示データを操作表示手段へ表示する前項１〜３のいずれかに記載の複合装置。
（５）第１または第２の装置のうちの１つが画像形成装置であり、該画像形成装置の描画制御手段は、操作表示手段に対する操作以外の画像形成装置側の操作が検出されたとき前記表示データを更新する前項４に記載の複合装置。
（６）第１または第２の装置のうちの１つが、ファクシミリ回線及び／またはネットワーク回線を通じて外部からのデータを受信する外部データ入力手段を備えた画像形成装置であり、該画像形成装置の描画制御手段は、前記外部データ入力手段により外部からのデータが受信されたとき前記表示データを更新する前項４に記載の複合装置。
（７）第１または第２の装置のうちの１つが、携帯端末装置と連携接続される接続手段を備えた画像形成装置であり、該画像形成装置の描画制御手段は、前記接続手段による携帯端末装置との連携接続が確立されたとき前記表示データを更新する前項４に記載の複合装置。
（８）第１または第２の装置のうちの１つが、ジョブトラブルを検出するトラブル検出手段を備えた画像形成装置であり、該画像形成装置の描画制御手段は、前記トラブル検出手段によりジョブトラブルが検出されたとき前記表示データを更新する前項４に記載の複合装置。
（９）第１または第２の装置のうちの１つがメンテナンスモードに移行可能な画像形成装置であり、該画像形成装置の描画制御手段は、メンテナンスモードへ移行したとき前記表示データを更新する前項４に記載の複合装置。
（１０）前記セレクタによる接続切替えが行われたとき、切替え前に接続されていた第１または第２の装置の描画制御手段は、切替えられた後も切替え時に前記表示メモリに記憶されていた表示データを保持する前項１〜３のいずれかに記載の複合装置。
（１１）前記切替え制御手段は、第１及び第２の装置のそれぞれから接続要因を含む接続要求を同時に受信したときは、予め設定された接続要因の優先順位に基づいて、優先順位の高い接続要因を含む接続要求を発行した装置の描画制御手段と操作表示手段とをセレクタにより接続する前項１〜１０のいずれかに記載の複合装置。
（１２）前記セレクタによる接続切替えが行われたとき、切替え前に接続されていた第１または第２の装置の表示メモリに記憶されていた表示データが、第１及び第２の装置の機能を選択するための初期メニュー画面の表示データである場合、その装置の描画制御手段は、切り替えられた後は前記表示メモリに記憶されていた前記初期メニュー画面の表示データを保持しない前項１〜３のいずれかに記載の複合装置。
（１３）切替え時に前記表示メモリに記憶されていた表示データが一時的な表示画面の表示データである場合、その装置の描画制御手段は、切替え後はその表示データを保持することなく、その表示データの前に保持されていた表示データを保持する前項１０に記載の複合装置。
（１４）前記セレクタにより、操作表示手段と接続要求を発行した第１または第２の装置の描画制御手段とが接続されたのち、所定時間、操作表示手段の操作がなされずかつ前記装置の動作状態に変化がなかった場合、前記切替え制御手段は、接続されている第１または第２の装置との接続を解除し、初期接続される装置としてデフォルト設定されている第１または第２の装置の描画制御手段と操作表示手段とを前記セレクタにより接続する前項１〜１３のいずれかに記載の複合装置。
（１５）前記セレクタにより、操作表示手段と接続要求を発行した第１または第２の装置の描画制御手段とが接続されたのち、接続された装置の動作が終了した場合、前記切替え制御手段は、初期接続される装置としてデフォルト設定されている第１または第２の装置の描画制御手段と操作表示手段とを前記セレクタにより接続する前項１〜１４のいずれかに記載の複合装置。
（１６）第１及び第２の装置は表示データの表示解像度を変換する解像度変換手段を備え、前記セレクタにより操作表示手段と接続される第１または第２の装置の解像度変換手段は、操作表示手段の表示解像度と自装置の表示解像度が異なる場合は、表示データの表示解像度を操作表示手段と同じ表示解像度に変換し、描画制御手段は解像度が変換された表示データを操作表示手段に表示する前項１〜１５のいずれかに記載の複合装置。
（１７）第１及び第２の装置が共通する機能を有している場合、操作表示手段に表示される第１及び第２の装置の機能を選択するための初期メニュー画面において、共通する機能を選択するための操作ボタンは１つのみ表示され、共通する機能を選択するための前記操作ボタンが操作されたときは、前記切替え制御手段は、予め設定された使用優先順位に基づき、第１または第２の装置のうち使用優先順位の高い装置の描画制御手段と操作表示手段とを前記セレクタにより接続する前項１〜１６のいずれかに記載の複合装置。
【発明の効果】
【００１２】
前項（１）に記載の発明によれば、独立して動作する第１の装置及び第２の装置と 各装置で共用される操作表示手段とを備えた複合装置であって、第１及び第２の装置はそれぞれ、操作表示手段に表示される表示データを記憶する表示メモリと、表示データを操作表示手段に表示させるための制御を行う描画制御手段とを有し、複合装置はさらに、操作表示手段と各装置の描画制御手段との接続を選択的に切替え可能なセレクタと、自装置の描画制御手段と操作表示手段との接続を求める第１または第２の装置からの接続要求を受信すると共に、受信した接続要求に応じて、操作表示手段と第１または第２の装置の描画制御手段との接続切替えをセレクタに実行させる切替え制御手段を備えているから、第１または第２の装置からの接続要求に応じて、操作表示手段と各装置の描画制御手段との接続切替えがセレクタにより実行される。つまり、第１または第２の装置の描画制御手段により操作表示手段に表示される表示データが生成され、いずれの装置が使用されるかに応じてセレクタによる操作表示手段の接続先が切り替えられるから、１つの操作表示手段で第１または第２の装置の操作表示が可能となる。
【００１３】
従って、複合装置は操作表示手段として第１及び第２の装置で共用される１つのものを備えていれば良く、第１または第２の装置毎に操作表示手段を備えさせる必要はないから、ユーザーはいずれの装置の操作表示手段であるかを意識することなく複合装置の操作が可能となり、使い勝手の良いものとなる。しかも、操作表示手段は１つで良いから、操作表示手段の設置スペースも少なくて済み、その分複合装置の小型化を図ることができる。
【００１４】
前項（２）に記載の発明によれば、第１または第２の装置のうちの１つが画像形成装置であり、操作表示手段に表示された操作画面上で画像形成装置の機能が選択操作されたときに、操作表示手段と画像形成装置の描画制御手段とが接続され、接続解除操作が行われたとき操作表示手段と画像形成装置の描画制御手段との接続が解除されるから、ユーザーは画像形成装置専用の操作表示手段と同じ感覚で画像形成装置を操作することができる。
【００１５】
前項（３）に記載の発明によれば、操作表示手段の表示画面内に、第１または第２の装置との接続を切り替えるための切替えボタンが表示され、この切替えボタンが操作されたとき、切替え先装置からの接続要求に基づいて、操作表示手段と切替え先装置の描画制御手段とが接続されるから、ユーザーは切替えボタンを操作することにより、他の装置の機能を容易に使用することができる。
【００１６】
前項（４）に記載の発明によれば、セレクタによる接続切替え後において、切替え前に接続されていた第１または第２の装置の描画制御手段は、切替えられた後も自装置の動作状態に応じて、表示メモリに記憶される表示データを更新し、その後に再度接続されたときは、表示メモリに記憶されている最新の表示データが操作表示手段へ表示されるから、ユーザーは再接続された装置の最新の動作状態を知ることができる。
【００１７】
前項（５）に記載の発明によれば、操作表示手段に対する操作以外の画像形成装置側の操作が検出されたとき画像形成装置の表示データが更新される。
【００１８】
前項（６）に記載の発明によれば、ファクシミリ回線及び／またはネットワーク回線を通じて外部からのデータを受信する画像形成装置の外部データ入力手段により、外部からのデータが受信されたとき、画像形成装置の表示データが更新される。
【００１９】
前項（７）に記載の発明によれば、携帯端末装置と携帯端末装置との連携接続が確立されたとき画像形成装置の表示データが更新される。
【００２０】
前項（８）に記載の発明によれば、画像形成装置によりジョブトラブルが検出されたとき、画像形成装置の表示データが更新される。
【００２１】
前項（９）に記載の発明によれば、画像形成装置がメンテナンスモードに移行したとき、画像形成装置の表示データが更新される。
【００２２】
前項（１０）に記載の発明によれば、セレクタによる接続切替えが行われたとき、切替え前に接続されていた第１または第２の装置の描画制御手段は、切替えられた後も切替え時に表示メモリに記憶されていた表示データを保持しているから、その装置がセレクタにより操作表示手段と再度接続されたときは、表示メモリに保持されている表示データから表示が再開される。
【００２３】
前項（１１）に記載の発明によれば、切替え制御手段は、第１及び第２の装置のそれぞれから接続要因を含む接続要求を同時に受信したときは、予め設定された接続要因の優先順位に基づいて、優先順位の高い接続要因を含む接続要求を発行した第１または第２の装置の描画制御手段が操作表示手段と接続されるから、第１及び第２の装置からの接続要求が競合した場合の接続処理を円滑に行うことができる。
【００２４】
前項（１２）に記載の発明によれば、セレクタによる接続切替えが行われたとき、切替え前に接続されていた第１または第２の装置の表示メモリに記憶されていた表示データが、第１及び第２の装置の機能を選択するための初期メニュー画面の表示データである場合、切り替えられた後はその初期メニュー画面の表示データは保持されず、他の表示データに更新される。
【００２５】
前項（１３）に記載の発明によれば、切替え時に表示メモリに記憶されていた表示データが一時的な表示画面の表示データである場合は、その表示データを保持しておく必要性に乏しいから、切替え後はその表示データは保持されることなく、その表示データの前に保持されていた表示データが保持される。
【００２６】
前項（１４）に記載の発明によれば、操作表示手段と接続要求を発行した第１または第２の装置の描画制御手段との接続がセレクタにより実行されたのち、所定時間、操作表示手段の操作がなされずかつその装置の動作状態に変化がなかった場合、接続されている第１または第２の装置からの接続要求が解除され、初期接続される装置としてデフォルト設定されている第１または第２の装置の描画制御手段と操作表示手段とが接続されるから、次のユーザーが操作表示手段の表示画面を初期画面に遷移させる手間が不要となる。
【００２７】
前項（１５）に記載の発明によれば、操作表示手段と接続要求を発行した第１または第２の装置の描画制御手段との接続がセレクタにより実行されたのち、接続されている装置の動作が終了した場合、初期接続される装置としてデフォルト設定されている第１または第２の装置の描画制御手段と操作表示手段とが接続されるから、次のユーザーが操作表示手段の表示画面を初期画面に遷移させる手間が不要となる。
【００２８】
前項（１６）に記載の発明によれば、操作表示手段の表示解像度と第１または第２の装置の表示解像度が異なる場合、表示データの表示解像度が操作表示手段と同じ表示解像度に変換された状態で表示データが操作表示手段に表示されるから、常に最適な表示解像度で表示データを操作表示部に表示することができる。
【００２９】
前項（１７）に記載の発明によれば、第１及び第２の装置が共通する機能を有している場合、操作表示手段に表示される第１及び第２の装置の機能を選択するための初期メニュー画面において、共通する機能を選択するための操作ボタンは１つのみ表示され、共通する機能を選択するための操作ボタンが操作されたときは、予め設定された使用優先順位に基づき、第１または第２の装置のうち使用優先順位の高い装置の描画制御手段が操作表示手段と接続されるように、セレクタによる接続切替えが実行されるから、共通する機能を使用するために第１、第２の装置毎の操作ボタンが表示される場合の操作の煩わしさを回避しながら、ユーザーは共通する機能を利用することができる。
【図面の簡単な説明】
【００３０】
【図１】この発明の一実施形態に係る複合装置の構成を示すブロック図である。
【図２】比較例に係る複合装置の構成を示すブロック図である。
【図３】操作表示手段に表示される初期メニュー画面を示す図である。
【図４】図３の初期メニュー画面において、「ＭＦＰ機能１（コピー）」ボタンが押されたときに遷移する画面を示す図である。
【図５】図４の画面において、「ＩＴ機器メニュー切替え」ボタンが押されたときに遷移する画面を示す図である。
【図６】図５の画面において、「ＭＦＰ機器メニュー切替え」ボタンが押されたときに遷移する画面を示す図である。
【図７】複合装置の基本動作を示すフローチャートである。
【図８】ＭＦＰの操作を終了するかどうかの問い合わせ画面である。
【図９】図１の複合装置において、第１の装置及び第２の装置での表示データの生成タイミングについての説明図である。
【図１０】図１の複合装置において、第１の装置及び第２の装置での表示データの生成タイミングの他の例についての説明図である。
【図１１】図１に示した複合装置の他の動作例を説明するためのフローチャートである。
【図１２】表示メモリに表示されている最新の表示データを操作表示手段に表示した画面を示す図である。
【図１３】この発明のさらに他の実施形態に係る複合装置のブロック図である。
【図１４】解像度変換処理の概要を説明するための図である。
【図１５】解像度変換処理の一例を示す図である。
【発明を実施するための形態】
【００３１】
以下、この発明の実施形態を図面に基づいて説明する。
【００３２】
図１は、この発明の一実施形態に係る複合装置１０の構成を示すブロック図である。この実施形態では、いずれも独立して動作するＭＦＰからなる画像形成装置１００とＰＣ等からなる情報処理装置２００が、１つの筐体に収容されて複合装置１０１を構成している。以下の説明では、画像形成装置をＭＦＰ、情報処理装置をＩＴ機器ともいう。なお、ＭＦＰ１００とＩＴ機器は必ずしも１つの筐体に収容されていなくても良く、ＭＦＰ１００とＩＴ機器２００が隣接配置されているようなものも複合装置１０に含まれる。
【００３３】
複合装置１０は、上述したＭＦＰ１００と、ＩＴ機器２００と、これら両装置で共用される１個の操作表示部３００とを有している。
【００３４】
ＭＦＰ１００はそれ自体が独立して動作するため、システム制御部１０２と描画制御部１０３を有している。システム制御部１０２は、ＭＦＰ１００の全体を制御するものであり、図示しないＣＰＵ、ＲＯＭ、ＲＡＭ等を有している。システム制御部１０２の制御に基づいて、ユーザー操作の受け付け、コピー機能、プリンタ機能、スキャン機能等の機能の実行等が行われる。また、システム制御部１０２は後述するように、ＭＦＰ１００側の表示データを操作表示部３００に表示させたい場合は、切替え制御部２０に接続要求を発行するようになっている。
【００３５】
描画制御部１０３は、表示データ１０４を記憶するＶＲＡＭと称されるような表示メモリ１０５を有しており、表示メモリ１０５に記憶されている表示データを操作表示部３００に転送して表示させたり、自装置に保有されている操作ボタン、メッセージ等の多数の表示パーツを組み合わせて表示データ１０４を生成して表示メモリ１０５に記憶させ、必要に応じて表示メモリ１０５の内容の更新等を行う。
【００３６】
なお、ＭＦＰ１００はシステム制御部１０２や描画制御部１０３の他に、スキャナ部、画像形成部、ハードディスク装置等の記憶装置、画像形成部、外部機器と通信を行うための通信用インターフェース等を有しているが、図１では図示を省略している。
【００３７】
一方、ＩＴ機器２００もそれ自体が独立して動作するため、システム制御部２０２と描画制御部２０３を有している。システム制御部２０２は、ＩＴ機器２００の全体を制御するものであり、図示しないＣＰＵ、ＲＯＭ、ＲＡＭ等を有している。システム制御部２０２の制御に基づいて、ユーザー操作の受け付けや、受け付けた操作に応じた処理等が実行される。また、システム制御部２０２は後述するように、ＩＴ機器２００側の表示データを操作表示部３００に表示させたい場合は、切替え制御部２０に接続要求を発行するようになっている。
【００３８】
描画制御部２０３は、表示データ２０４を記憶する表示メモリ２０５を有しており、表示メモリ２０５に記憶されている表示データを操作表示部３００に転送して表示させたり、自装置に保有されている操作ボタン、メッセージ等の多数の表示パーツを組み合わせて表示データ２０４を生成して表示メモリ２０５に記憶させ、必要に応じて表示メモリ２０５の内容の更新等を行う。具体的な制御内容については後述する。
【００３９】
なお、ＩＴ機器２００はシステム制御部２０２や描画制御部２０３の他に、ハードディスク装置等の記憶装置や、外部機器と通信を行うための通信用インターフェース等を有しているが、図１では図示を省略している。
【００４０】
操作表示部３００は、たとえば液晶装置等により構成された表示装置であり、表面にタッチパネルが積層されている。これにより、ユーザーが画面をタッチすると、タッチ座標を示すタッチ情報がＭＦＰ１００またはＩＴ機器２００に送信され、ＭＦＰ１００またはＩＴ機器２００が座標情報に対応する処理を実行したり、表示メモリ１０５、２０５に記憶された表示データを操作表示部３００に転送して表示させるようになっている。
【００４１】
この実施形態では、１つの操作表示部３００をＭＦＰ１００とＩＴ機器２００で共用するため、複合装置１０にはセレクタ３０と切替え制御部２０が備えられている。
【００４２】
セレクタ３０は、ＭＦＰ１００及びＩＴ機器２００の各描画制御部１０３、２０３と操作表示部３００との接続を切り替えるものである。つまり、セレクタ３０によってＭＦＰ１００の描画制御部１０３と操作表示部３００との接続に切り替えられたときは、ＭＦＰ１００の表示メモリ１０５に記憶されている表示データ１０４がセレクタ３０を介して操作表示部３００に転送され表示される。また、操作表示部３００に表示されたＭＦＰ１００側の操作画面に対してユーザーにより操作が行われたときは、操作表示部３００からタッチ情報がＭＦＰ１００に送信される。セレクタ３０によってＩＴ機器２００の描画制御部２０３と操作表示部３００との接続に切り替えられたときは、ＩＴ機器２００の表示メモリ２０５に記憶されている表示データ２０４がセレクタ３０を介して操作表示部３００に転送され表示される。また、操作表示部３００に表示されたＩＴ機器２００側の操作画面に対してユーザーにより操作が行われたときは、操作表示部３００からタッチ情報がＩＴ機器２００に送信される。
【００４３】
切替え制御部２０は、ＭＦＰ１００及びＩＴ機器２００の各システム制御部１０２、２０２から発行された接続要求を受信して、セレクタ３０による接続切替えを制御する。つまり、ＭＦＰ１００のシステム制御部１０２から接続要求が発行されたときは、ＭＦＰ１００の描画制御部１０２と操作表示部３００とをセレクタ３０により接続し、ＩＴ機器２００のシステム制御部２０２から接続要求が発行されたときは、ＩＴ機器２００の描画制御部２０３と操作表示部３００とをセレクタ３０により接続する。
【００４４】
このように、この実施形態では操作表示部３００はＭＦＰ１００とＩＴ機器２００とで共用されるから、１つの操作表示部３００で足り、各装置毎に操作表示部３００が備えられている場合に較べて操作表示部３００の数が少なくて済み、操作性が良好になり、操作表示部３００の設置スペースも少なくて済み、その分複合装置１０の小型化を図ることができる。
【００４５】
これに対し、図２に示すように、各装置１００、２００毎に操作表示部１０６、２０６を備えた場合には、セレクタ３０や切替え制御部２０は不要であるが、ユーザーは使用する装置１００、２００毎に異なる操作表示部１０６、２０６を操作しなければならず操作が煩わしい上、操作表示部１０６、２０６のうちのいずれか１個分の設置スペースが余分に必要となり、設置スペースが増加し複合装置１０の小型化を妨げる。このため、セレクタ３０や切替え制御部２０が不要であること以上に不利益の方が大きい。
【００４６】
次に、操作表示部３００に表示される画面について説明する。
【００４７】
複合装置１０の非使用状態（初期状態）では、操作表示部３００には図３に示す初期メニュー画面が表示されている。この初期メニュー画面には、ユーザーが使用可能なＩＴ機器２００とＭＦＰ１００のそれぞれの機能を示す機能ボタンが表示されている。画面中、「ＩＴ機能」の項目の下方に表示されている「ＩＴ機能１」「ＩＴ機能２」「ＩＴ機能３」「ＩＴ機能４」の各機能ボタンが、ＩＴ機器２００側の各機能を使用するための機能ボタン群２１０である。また、「ＭＦＰ機能」の項目の下方に表示されている「ＭＦＰ機能１（コピー）」「ＭＦＰ機能２（スキャン）」「ＭＦＰ機能３（ファックス）」「ＭＦＰ機能１（ボックス）」の各機能ボタンが、ＭＦＰ１００側の機能であるコピー機能、スキャン機能、ファクシミリ機能、ボックス機能を使用するための機能ボタン群１１０である。なお、ボックス機能とはボックスと称される記憶領域を利用した機能であり、例えばスキャンした文書等をボックスに保存したり、ボックスに保存されている文書等を外部に送信等する機能である。
【００４８】
ユーザーが何れかの機能ボタンをタッチ操作することにより、ＩＴ機器２００またはＭＦＰ１００の各機能を使用することができる。
【００４９】
なお、ＩＴ機器２００とＭＦＰ１００に、例えば画像データのＰＤＦファイルへの変換機能等のような共通する機能が存在する場合、初期メニュー画面においてＩＴ機器２００とＭＦＰ１００の各機能としてそれぞれ操作ボタンが表示されても良いが、図３に「ＰＤＦファイル作成機能」ボタン３１０が記されているように、共通する機能を使用するための操作ボタン３１０を１つのみ表示するとともに、共通する機能を使用するための操作ボタン３１０が操作されたときは、予め設定された使用優先順位に基づき、ＩＴ機器２００とＭＦＰ１００のうちの使用優先順位の高い装置の描画制御部２０３、１０３が操作表示部３００と接続されるように、切替え制御部２０がセレクタ３０による接続切替えを実行しても良い。共通する機能を使用するための操作ボタンが、ＩＴ機器２００とＭＦＰ１００の両方の操作ボタンとして表示されている場合は、ユーザーはどちらの機能を選択して良いか判断に迷うことになり、操作の煩わしさが発生する。このため、共通の機能については操作ボタン３１０を１つにすることで、操作の煩わしさを回避しながら、その機能を利用できるようにしている。
【００５０】
図３に示した初期メニュー画面は、ＭＦＰ１００とＩＴ機器２００のいずれで生成するかが予めデフォルト設定されている。換言すれば、非使用状態ではいずれの装置を操作表示部３００と接続しておくかが予めデフォルト設定されており、切替え制御部２０はデフォルト設定されたＭＦＰ１００またはＩＴ機器２００の描画制御部１０３、２０３と操作表示部３００が接続されるように、セレクタ３０の接続切替えを制御する。この実施形態では、非使用状態ではＩＴ機器２００の描画制御部２０３を操作表示部３００と接続することが予めデフォルト設定されている。従って、ユーザーによるＭＦＰ１００の使用が終了すると、切替え制御部２０はセレクタ３０を切替えてＩＴ機器２００の描画制御部２０３と操作表示部３００とを接続する。
【００５１】
図３の初期メニュー画面において、ユーザーが例えば「ＭＦＰ機能１（コピー）」ボタン１１１を操作すると、「ＭＦＰ機能１（コピー）」ボタン１１１が操作されたことが、例えばＩＴ機器２００のシステム制御部２０２から切替え制御部２０を介してＭＦＰ１００のシステム制御部１０２に通知される。ＭＦＰ１００は描画制御部１０３で、操作されたボタンに応じた画面、この例では図４に示すＭＦＰコピー設定画面の表示データを生成し表示メモリ１０５に記憶する。次いでシステム制御部１０２は、切替え制御部２０に対して接続要求を発行する。
【００５２】
ＭＦＰ１００のシステム制御部１０２からの接続要求を受信した切替え制御部２０は、操作表示部３００とＭＦＰ１００の描画制御部１０３とが接続されるようにセレクタ３０を動作させる。ＭＦＰ１００の描画制御部１０３は、操作表示部３００に、表示メモリ１０５に記憶されている表示データを転送し、操作表示部３００には図４に示すＭＦＰコピー設定画面が表示される。
【００５３】
このＭＦＰコピー設定画面では、「用紙設定」「拡大／縮小」「枚数設定」「仕上がり設定」「カラー／モノクロ」設定の各設定ボタンとともに、「ＩＴ機能メニュー切替え」ボタン１１２が表示されている。「ＩＴ機能メニュー切替え」ボタン１１２は、図５に示すＩＴ機能メニュー画面に遷移させるためのたボタンであり、操作表示部３００にＭＦＰ１００側の画面が表示されているときは常時表示されている。従って、ＭＦＰ１００の操作の途中において、「ＩＴ機能メニュー切替え」ボタン１１２を押すことによりユーザーはいつでもＩＴ機能メニュー画面に遷移させて、ＩＴ機器２００の機能を使用できるようになっている。
【００５４】
ＭＦＰコピー設定画面においてユーザーが種々の設定を行い、図示しないスタートボタンを押すと、ＭＦＰ１００によりコピーが実行される。コピー完了後は、複合装置１０は非使用状態に復帰する。つまり、ＭＦＰ１００のシステム制御部１０２から切替え制御部２０を介してＩＴ機器２００のシステム制御部２０２に動作完了が通知される。すると、ＩＴ機器２００の描画制御部２０３は初期メニュー画面の表示データを生成し、表示メモリ２０５に記憶する。切替え制御部２０は、操作表示部３００とＩＴ機器２００の描画制御部２０３とが接続されるようにセレクタ３０を動作させ、ＩＴ機器２００の描画制御部２０３は図３に示した初期メニュー画面を操作表示部３００に表示させる。
【００５５】
一方、図４に示したＭＦＰコピー設定画面において、ユーザーが「ＩＴ機能メニュー切替え」ボタン１１２を操作すると、このボタンが操作されたことがＭＦＰ１００のシステム制御部１０２から切替え制御部２０を介してＩＴ機器２００のシステム制御部２０２へ通知される。この通知に基づいて、ＩＴ機器２００の描画制御部２０３は図５に示すＩＴ機能メニュー画面の表示データを生成し、表示メモリ２０５に記憶する。次いで、ＩＴ機器２００のシステム制御部２０２は切替え制御部２０に接続要求を発行すると、この要求を受信した切替え制御部２０は、操作表示部３００とＩＴ機器２００の描画制御部２０３とが接続されるようにセレクタ３０を動作させる。ＩＴ機器２００の描画制御部２０３は、生成した図５に示すＩＴ機能メニュー画面２１２を操作表示部３００に表示させる。
【００５６】
ＩＴ機能メニュー画面には、「ＩＴ機能１」「ＩＴ機能２」「ＩＴ機能３」「ＩＴ機能４」の各機能ボタンとともに、「ＭＦＰ機能メニュー切替え」ボタン２１２が表示されている。「ＭＦＰ機能メニュー切替え」ボタン２１２は、図６に示すＭＦＰ機能メニュー画面に遷移させるためのボタンであり、操作表示部３００にＩＴ機器２００側の画面が表示されているときは常時表示されている。従って、ＩＴ機器２００の操作の途中において、「ＭＦＰ機能メニュー切替え」ボタン２１２を押すことによりユーザーはいつでもＭＦＰ機能メニュー画面に遷移させて、ＭＦＰ１００の機能を使用できるようになっている。
【００５７】
ユーザーがＩＴ機能メニュー画面においていずれかのＩＴ機能ボタンを選択し、種々の設定を行ってその機能を実行させ、機能の使用が完了すると、描画制御部２０３は図３に示した初期メニュー画面の表示データを生成し、操作表示部３００には初期メニュー画面が表示される。この場合、操作表示部３００とＩＴ機器２００の描画制御部２０３とが既に接続されているから、セレクタ３０による切替えは行われない。
【００５８】
ＩＴ機能メニュー画面において、ユーザーが「ＭＦＰ１００機能メニュー切替え」ボタン２１２を操作すると、このボタン２１２が操作されたことがＩＴ機器２００のシステム制御部２０２から切替え制御部２０を介してＭＦＰ１００のシステム制御部１０２へ通知される。この通知に基づいて、ＭＦＰ１００の描画制御部１０３は図６のＭＦＰ機能メニュー画面の表示データを生成し、表示メモリ１０５に記憶する。ＭＦＰ１００のシステム制御部１０２が切替え制御部２０に接続要求を発行すると、この要求を受信した切替え制御部２０は、操作表示部３００とＭＦＰ１００の描画制御部１０３とが接続されるようにセレクタ３０を動作させる。ＭＦＰ１００の描画制御部１０３は、生成した図６に示すＭＦＰ機能メニュー画面を操作表示部３００に表示させる。
【００５９】
図７は複合装置１０の基本動作を示すフローチャートである。
【００６０】
ステップＳ１０１ではＩＴ機器２００の描画制御部２０３が図３の初期メニュー画面の表示データを生成し、表示メモリ（ＶＲＡＭ）２０５に記憶する。ステップＳ１０２で、切替え制御部２０はデフォルト設定に従いセレクタ３０をＩＴ機器２００側に切替えて、ＩＴ機器２００の描画制御部２０３と操作表示部３００を接続する。
【００６１】
ステップＳ１０３で、ＩＴ機器２００の描画制御部２０３は表示メモリ２０５に記憶されている初期メニュー画面の表示データを操作表示部３００に表示させたのち、ステップＳ１０４で、操作表示部３００に対してタッチパネル操作が行われたかどうかを判断する。行われていない場合は（ステップＳ１０４でＮＯ）、タッチパネル操作が行われるまで待つ。タッチパネル操作が行われると（ステップＳ１０４でＹＥＳ）、ステップＳ１０５で、ＭＦＰ１００の機能が選択されたかどうかを判定する。ＭＦＰ１００の機能が選択されていれば（ステップＳ１０５でＹＥＳ）、ステップＳ１０６で、ＩＴ機器２００の描画制御部２０３はそのことを切替え制御部２０を介してＭＦＰ１００のシステム制御部１０２へ通知する。通知を受けたＭＦＰ１００は、ステップＳ１０７で、描画制御部１０３により選択された機能の設定画面を生成し、システム制御部１０２が切替え制御部２０に対して接続要求を発行する。
【００６２】
接続要求を受信した切替え制御部２０は、ステップＳ１０８で、操作表示部３００とＭＦＰ１００の描画制御部１０３が接続されるようにセレクタ３０を切り替えると、ステップＳ１０９で、ＭＦＰ１００の描画制御部１０３は、生成した機能設定画面を操作表示部３００に表示させる。そして、ステップＳ１１０で、ＭＦＰ１００のシステム制御部１０２は選択した機能の動作が完了したかどうかを判断する。選択した機能の動作が完了したかどうかは、例えば図８に示すように、ＭＦＰ１００の操作を終了するかどうかの問い合わせ画面を操作表示部３００に表示し、ユーザーによりＹＥＳボタン１１３が押されたときは動作が完了した（接続解除操作がなされた）と判断し、ＮＯボタン１１４が押されたときは、動作は完了していないと判断すれば良い。
【００６３】
ステップＳ１１０で、動作が完了していれば（ステップＳ１１０でＹＥＳ）、ステップＳ１１２に進む。動作が完了していなければ（ステップＳ１１０でＮＯ）、ステップＳ１１１で、ＭＦＰ１００のシステム制御部１０２は、操作表示部３００の操作がなされずかつＭＦＰ１００の動作変化がなく一定時間が経過したかどうかを判定する。一定時間が経過していなければ（ステップＳ１１１でＮＯ）、ステップＳ１１０に戻る。一定時間が経過していれば（ステップＳ１１１でＹＥＳ）、ステップＳ１１２に進む。
【００６４】
ステップＳ１１２では、動作が完了したこと、または一定時間操作がなされずかつＭＦＰ１００の動作変化がなかったことを、切替え制御部２０を介してＩＴ機器２００のシステム制御部２０２へ通知したのち、ステップＳ１０１に戻る。その後、セレクタ３０が切り替えられて操作表示部３００とＩＴ機器２００の描画制御部２０３が接続され、描画制御部２０３は生成した初期メニュー画面を操作表示部３００に表示する。なお、一定時間操作がなされずかつＭＦＰ１００の動作変化がなかった場合、切替え制御部２０はセレクタ３０の切替え前にＭＦＰ１００からの接続要求を解除する。
【００６５】
このように、操作表示部３００とＭＦＰ１００の描画制御部１０３との接続がセレクタ３０により実行されたのち、所定時間、操作表示部３００の操作がなされずかつＭＦＰ１００の動作状態に変化がなかった場合、ＭＦＰ１００からの接続要求が解除され、初期接続される装置としてデフォルト設定されているＩＴ機器２００の描画制御部２０３と操作表示部３００とが接続され、また、ＭＦＰ１００の動作が完了したときもデフォルト設定されているＩＴ機器２００の描画制御部２０３と操作表示部３００とが接続されるから、次のユーザーが操作表示部３００の表示画面を初期メニュー画面に遷移させる手間が不要となる。
【００６６】
ステップＳ１０５で、ＭＦＰ１００の機能が選択されたのでなければ（ステップＳ１０５でＮＯ）、ＩＴ機器２００の機能が選択されたから、ＩＴ機器２００の描画制御部２０３はステップＳ１１３で選択された機能の画面を生成し、操作表示部３００に表示する。次いで、ステップＳ１１４で、システム制御部２０２は選択された機能の動作が完了したかどうかを判断し、完了していれば（ステップＳ１１４でＹＥＳ）、ステップＳ１０１に戻る。動作が完了していなければ（ステップＳ１１４でＮＯ）、ステップＳ１１５で、ＩＴ機器２００のシステム制御部２０２は、操作がなされずかつＩＴ機器２００の動作変化がなく一定時間が経過したかどうかを判定する。一定時間が経過していなければ（ステップＳ１１５でＮＯ）、ステップＳ１１４に戻る。一定時間が経過していれば（ステップＳ１１５でＹＥＳ）、ステップＳ１０１に戻る。
【００６７】
このように、ＭＦＰ１００とＩＴ機器２００の各描画制御部１０３、２０３が、表示データを表示させるための表示データを生成し、いずれの装置が使用されるかに応じて切替え制御部２０がセレクタ３０により操作表示部３００の接続先を切り替えるから、１つの操作表示部３００で複数の装置１００、２００についての画面表示が可能となる。
【００６８】
図９は、図１の複合装置１０において、ＭＦＰ１００及びＩＴ機器２００での表示データの生成タイミングについての説明図である。
【００６９】
図９の横軸は時間軸を、「ＭＦＰＶＲＡＭ」はＭＦＰ１００の表示メモリ１０５に記憶される表示データを、「ＩＴ機器ＶＲＡＭ」はＩＴ機器２００の表示メモリ２０５に記憶される表示データを、「表示されるデータ」は操作表示部３００に表示される表示データを、「ＭＦＰ接続要求」はＭＦＰ１００から発行される接続要求のタイミングを、「ＩＴ機器接続要求」はＩＴ機器２００から発行される接続要求のタイミングをそれぞれ示している。
【００７０】
時間Ｔ１では、ＭＦＰ１００の描画制御部１０３がＭＦＰ１００側の初期画面である図６に示すＭＦＰ機能メニュー画面Ａの表示データを生成して表示メモリ１０５に記憶し、ＩＴ機器２００の描画制御部２０３が図３に示す初期メニュー画面Ｄの表示データを生成して表示メモリ１０５に記憶する。
【００７１】
時間Ｔ１〜Ｔ４までの期間は、それぞれの装置１００、２００から接続要求は無く、デフォルト設定に従って、ＩＴ機器２００の描画制御部２０３と操作表示部３００とが接続されるようにセレクタ３０は切り替えられ、操作表示部３００には図３に示す初期メニュー画面Ｄが表示される。
【００７２】
その後時間Ｔ４で、操作表示部３００におけるＭＦＰ１００の機能ボタンが操作されると、ＭＦＰ１００はその機能に応じて指定される操作画面Ｂ（例えば図４のＭＦＰコピー設定画面）の表示データを生成して表示メモリ１０５に記憶したのち、切替え制御部２０に接続要求を発行する。
【００７３】
切替え制御部２０はＭＦＰ１００からの接続要求を受けて、操作表示部３００とＭＦＰ１００の描画制御部１０３が接続されるようにセレクタ３０を切替えて、操作画面Ｂを表示する。
【００７４】
その後、時間Ｔ５でＩＴ機器２００で外部データの受信動作が発生すると、ＩＴ機器２００の描画制御部２０３はその受信画面Ｅの表示データを生成して表示メモリ１０５に記憶し、システム制御部２０２が接続要求を切替え制御部２０に発行する。
【００７５】
時間Ｔ５のタイミングでは、両方の装置から接続要求が発行されている。このためこの実施形態では、予め定める接続要因の優先順位によってセレクタ３０を切り替える。この例では、外部データ受信表示よりも操作画面表示の方が優先順位が高く設定されており、この設定を判断して切替え制御部２０はセレクタ３０によるＭＦＰ１００との接続を維持し、操作表示部３００にはＭＦＰ１００側の画面Ｂが継続して表示される。このように、切替え制御部２０は、ＭＦＰ１００とＩＴ機器２００の両方から接続要求を同時に受信したときは、予め設定された接続要因の優先順位に基づいて、優先順位の高い方の接続要因を含む接続要求を行った装置の描画制御部が操作表示部３００と接続されるから、ＭＦＰ１００とＩＴ機器２００の両装置からの接続要求が競合した場合の接続処理を円滑に行うことができる。
【００７６】
時間Ｔ６のタイミングで、操作表示部３００からのＭＦＰ１００の機能の使用操作が完了し、ＭＦＰ１００からの接続要求が解除される。すると切替え制御部２０はＩＴ機器２００からの接続要求を受信しているため、時間Ｔ６でセレクタ３０をＩＴ機器２００側へ切替え、操作表示部３００にはＩＴ機器２００の画面Ｅが表示される。
【００７７】
時間Ｔ８で、ＩＴ機器２００でのデータ受信処理が完了すると、ＩＴ機器２００は切替え制御部２０への接続要求を解除して、初期メニュー画面Ｄの表示データを生成する。接続要求の解除により、どちらの装置からも接続要求がなくなり、初期時と同様に切替え制御部２０はデフォルト設定に従い、セレクタ３０をＩＴ機器２００の描画制御部２０３と操作表示部３００との接続に切替え、操作表示部３００には初期メニュー画面Ｄが表示される。
【００７８】
その後、時間Ｔ９において、ＭＦＰ１００での外部データの受信動作が発生すると、ＭＦＰ１００の描画制御部１０３はその受信画面Ｃの表示データを生成して表示メモリ１０５に記憶し、システム制御部１０５は接続要求を切替え制御部２０に発行する。切替え制御部２０は受信した接続要求に基づいて、セレクタ３０をＭＦＰ１００側に切り替え、これによって操作表示部３００には画面Ｃが表示される。
【００７９】
図１０は、図１の複合装置１０において、ＭＦＰ１００及びＩＴ機器２００での表示データの生成タイミングの他の例についての説明図である。図１０の例では、時間Ｔ４でのＭＦＰ１００の機能の使用が時間Ｔ１０まで行われた時の動作を示している。
【００８０】
図９の例では、時間Ｔ６でＭＦＰ１００の機能の使用が完了したときに、セレクタ３０をＩＴ機器２００側へ切替えて、ＩＴ機器２００で生成された画面Ｅを操作表示部３００に表示していた。
【００８１】
これに対し、図１０の例では、ＭＦＰ１００の機能の使用は時間Ｔ１０まで行われるので、時間Ｔ６では、まだセレクタ３０はＭＦＰ１００の描画制御部１０３との接続を維持し、操作表示部３００にはＭＦＰ１００側の画面Ｂが継続して表示されている。
【００８２】
その後時間Ｔ８で、ＩＴ機器２００の受信動作が完了すると、ＩＴ機器２００のシステム制御部２０２は接続要求を解除し、描画制御部２０３は初期メニュー画面Ｄの表示データを生成する。しかし、ＭＦＰ１００の機能の使用が継続して行われており、ＭＦＰ１００からの接続要求は発行されたままであるため、セレクタ３０はＭＦＰ１００の描画制御部１０３との接続を維持し、操作表示部３００にはＭＦＰ１００側の画面Ｂが継続して表示される。
【００８３】
その後時間Ｔ９で、ＩＴ機器２００で別の受信動作が再度発生すると、ＩＴ機器２００の描画制御部２０３は受信画面Ｆの表示データを生成したのち、システム制御部２０２が切替え制御部２０に対して表示要求を発行する。しかし、ＭＦＰ１００では機能の使用中でありＭＦＰ１００からの接続要求は発行されたままであるため、時間Ｔ９においても、セレクタ３０はＭＦＰ１００の描画制御部１０３との接続を維持し、操作表示部３００にはＭＦＰ１００側の画面Ｂが継続して表示される。
【００８４】
その後時間Ｔ１０で、ＭＦＰ１００の機能の使用が完了すると、ＭＦＰ１００のシステム制御部１０２は接続要求を解除し、描画制御部１０３は画面Ａの表示データを生成する。切替え制御部２０はＩＴ機器２００のシステム制御部２０２からの接続要求を受けているため、この時間Ｔ１０でセレクタ３０をＩＴ機器２００側へ切替え、操作表示部３００にはＩＴ機器２００側の画面Ｆが表示される。
【００８５】
図１１は、図１に示した複合装置１０の他の動作例を説明するためのフローチャートである。この動作例では、初期メニュー画面においてユーザーがＭＦＰ１００の機能ボタンを選択操作する前に、ＭＦＰ１００側で、操作表示部３００による操作以外での動作が発生した場合の処理を示している。
【００８６】
ステップＳ２０１ではＩＴ機器２００の描画制御部２０３が初期メニュー画面の表示データを生成し、表示メモリ（ＶＲＡＭ）２０５に記憶する。ステップＳ２０２で、切替え制御部２０はデフォルト設定に従いセレクタ３０をＩＴ機器２００側に切替えて、ＩＴ機器２００の描画制御部２０３と操作表示部３００を接続する。
【００８７】
ステップＳ２０３で、ＩＴ機器２００の描画制御部２０３は表示メモリ２０５に記憶されている初期メニュー画面の表示データを操作表示部３００に表示させたのち、ステップＳ２０４で、ＭＦＰ１００のシステム制御部１０２は操作表示部３００による操作以外での動作が発生したかどうかの確認を行う。
【００８８】
操作表示部３００による操作以外での動作が発生する場合の一例としては、ＭＦＰ１００のシステム制御部１０２が操作表示部３００に対する操作以外のＭＦＰ１００側の操作を検出したとき、具体的には自動原稿搬送装置に原稿がセットされたことが給紙センサにより検出された場合、原稿カバーが開閉されたことが開閉センサにより検出された場合、給紙カセットが開閉されたことが開閉センサにより検出された場合、各部のカバーが開閉されたことが開閉センサにより検出された場合、等を挙げることができる。
【００８９】
操作表示部３００による操作以外での動作が発生する場合の他の例としては、ＭＦＰ１００がファクシミリ回線及び／またはネットワーク回線を通じて外部からのデータを受信する外部データ入力部を備えている場合において、外部データ入力部により、ファクシミリデータやプリントデータ等の外部からのデータを受信したときを挙げることができる。また、ＭＦＰ１００がスマートフォンやタブレット端末等の携帯端末装置と連携接続される接続部を備えている場合において、接続部により接続された携帯端末装置との連携動作が確立されたときや、ＭＦＰ１００が用紙ジャムやトナーエンプティ等のジョブトラブルを検出するトラブル検出部を備えている場合において、トラブル検出部によりジョブトラブルが検出されたときや、自装置をメンテナンスモードに移行させるメンテナンスモード移行部を備えている場合において、メンテナンスモード移行部によりメンテナンスモードへ移行したとき等を挙げることができる。
【００９０】
ステップＳ２０４において、操作表示部３００による操作以外での動作が発生した場合は（ステップＳ２０４でＹＥＳ）、ステップＳ２０５で、ＭＦＰ１００の描画制御部１０３は発生動作に応じた画面の表示データを生成し、表示メモリ１０５上の画像（表示データ）を更新したのち、ステップＳ２０６に進む。操作表示部３００による操作以外での動作が発生していない場合は（ステップＳ２０４でＮＯ）、そのままステップＳ２０６に進む。
【００９１】
ステップＳ２０６では、操作表示部３００に対してタッチパネル操作が行われたかどうかを判断する。行われていない場合は（ステップＳ２０６でＮＯ）、ステップＳ２０４に戻る。タッチパネル操作が行われると（ステップＳ２０６でＹＥＳ）、ステップＳ２０７で、ＭＦＰ１００の機能が選択されたかどうかを判定する。ＭＦＰ１００の機能が選択されていれば（ステップＳ２０７でＹＥＳ）、ステップＳ２０８で、ＩＴ機器２００のシステム制御部２０２はそのことを切替え制御部２０を介してＭＦＰ１００のシステム制御部１０２へ通知する。通知を受けたＭＦＰ１００のシステム制御部１０２は、ステップＳ２０９で、表示メモリ１０５の表示データが更新されているかどうかを調べる。
【００９２】
表示データが更新されている場合（ステップＳ２０９でＹＥＳ）、ステップＳ２１０で、ＭＦＰ１００のシステム制御部１０２は切替え制御部２０に対して接続要求を発行し、切替え制御部２０はセレクタ３０をＭＦＰ１００側に切替えて、操作表示部３００とＭＦＰ１００の描画制御部１０３を接続する。
【００９３】
次いで、ステップＳ２１１で、表示メモリ１０５に表示されている最新の表示データを操作表示部３００に表示する。例えばファクシミリの受信が完了している場合は、図１２に示すようにファクシミリを受信したことを示すメッセージが表示される。この際、ＯＫボタン１１５も併せて表示される。ステップＳ２１２では、図１２に示す画面上のＯＫボタン１１５が押されたかどうかを判定する。ＯＫボタン１１５が押されなければ（ステップＳ２１２でＮＯ）、押されるまで待つ。ＯＫボタン１１５が押されると（ステップＳ２１２でＹＥＳ）、ステップＳ２１４に進む。
【００９４】
ステップＳ２０９で、表示メモリ１０５の表示データが更新されていない場合（ステップＳ２０９でＮＯ）、ステップＳ２１３で、ＭＦＰ１００のシステム制御部１０２は切替え制御部２０に対して接続要求を発行し、切替え制御部２０はセレクタ３０をＭＦＰ１００側に切替えて、操作表示部３００とＭＦＰ１００の描画制御部１０３を接続したのち、ステップＳ２１４に進む。
【００９５】
ステップＳ２１４では、ＭＦＰ１００の描画制御部１０３は、機能設定画面の表示データを生成し、操作表示部３００に表示させる。そして、ステップＳ２１５で、ＭＦＰ１００のシステム制御部１０２は、選択した機能の動作が完了したかどうかを判断する。動作が完了していれば（ステップＳ２１５でＹＥＳ）、ステップＳ２１７に進む。動作が完了していなければ（ステップＳ２１５でＮＯ）、ステップＳ２１６で、ＭＦＰ１００のシステム制御部１０２は、操作がなされずかつＭＦＰ１００の動作変化がなく一定時間が経過したかどうかを判定する。一定時間が経過していなければ（ステップＳ２１６でＮＯ）、ステップＳ２１５に戻る。一定時間が経過していれば（ステップＳ２１６でＹＥＳ）、ステップＳ２１７に進む。
【００９６】
ステップＳ２１７では、動作が完了したこと、または一定時間操作がなされずかつＭＦＰ１００の動作変化がなかったことを、切替え制御部２０を介してＩＴ機器２００のシステム制御部２０２へ通知したのち、ステップＳ２０１に戻る。その後、セレクタ３０が切り替えられて操作表示部３００とＩＴ機器２００の描画制御部２０３が接続され、描画制御部２０３は生成した初期メニュー画面を操作表示部３００に表示する。
【００９７】
ステップＳ２０７で、ＭＦＰ１００の機能が選択されたのでなければ（ステップＳ２０７でＮＯ）、ＩＴ機器２００の機能が選択されたから、ＩＴ機器２００の描画表示部２０３はステップＳ２１８で、選択された機能の画面を生成し、操作表示部３００に表示する。次いで、ステップＳ２１９で、ＩＴ機器２００のシステム制御部２０２は選択された機能の動作が完了したかどうかを判断し、完了していれば（ステップＳ２１９でＹＥＳ）、ステップＳ２０１に戻る。動作が完了していなければ（ステップＳ２１９でＮＯ）、ステップＳ２２０でシステム制御部２０２は、操作がなされずかつＩＴ機器２００の動作変化がなく一定時間が経過したかどうかを判定する。一定時間が経過していなければ（ステップＳ２２０でＮＯ）、ステップＳ２１９に戻る。一定時間が経過していれば（ステップＳ２２０でＹＥＳ）、ステップＳ１０１に戻る。
【００９８】
このように、この実施形態では、セレクタ３０がＩＴ機器２００側に切り替わっているときに、ＭＦＰ１００は自装置の動作状態に応じて、表示メモリ１０５に記憶される表示データを更新し、セレクタ３０がＭＦＰ１００側に切り替わってＭＦＰ１００の描画制御部１０３が操作表示部３００と再度接続されたときは、表示メモリ１０５に記憶されている最新の表示データが操作表示部３００へ表示されるから、ユーザーは再接続されたＭＦＰ１００の最新の動作状態を知ることができる。
【００９９】
なお、図１１に示した実施形態では、セレクタ３０がＩＴ機器２００側に切り替わっているときに、ＭＦＰ１００は自装置の動作状態に応じて、表示メモリ１０５に記憶される表示データを更新したが、更新することなく、切替え時にＭＦＰ１００の表示メモリ１０５に記憶されていた表示データを保持する構成であっても良い。この場合は、セレクタ３０により、ＭＦＰ１００の描画制御部１０３が操作表示部３００と再度接続されたとき、表示メモリ１０５に保持されている切替え時の表示データが操作表示部３００へ表示される。
【０１００】
また、操作表示部３００に、複合装置１０におけるＩＴ機器２００とＭＦＰ１００の各機能を選択するための図３に示す初期メニュー画面が表示されているときに、ＭＦＰ１００の機能が選択されてセレクタ３０がＭＦＰ１００側に切り替えられた場合、次にＩＴ機器２００側の画面が表示される可能性が高いのは、図４に示すＭＦＰ機能メニュー画面において「ＩＴ機能メニュー切替え」ボタン１１２が押されたときであると考えられるため、ＩＴ機器２００の描画制御部２０３は、表示メモリ２０５に記憶されている図３に示す初期メニュー画面の表示データを保持することなく、ＭＦＰ機能メニュー画面において「ＩＴ機能メニュー切替え」ボタン１１２が押されたときに遷移する図５の画面の表示データに更新しておくのが望ましい。
【０１０１】
また、セレクタ３０による接続切替えが行われたとき、切替え前に接続されていたＭＦＰ１００またはＩＴ機器２００の表示メモリ１０５、２０５に記憶されていた表示データが、例えばデータの受信中であることを示す画面のような一時的な表示画面の表示データである場合、その装置の描画制御部１０３、２０３は、一時的な表示画面の表示データを保持せず、一時的な表示画面の表示データの前に表示メモリ１０５、２０５に記憶されていた表示データを保持しても良い。
【０１０２】
図１３はこの発明のさらに他の実施形態に係る複合装置１０のブロック図である。この複合装置１０は、複合装置１０内のＭＦＰ１００とＩＴ機器２００が備える表示データの解像度が、操作表示部３００の解像度と異なっている場合に好適に用いることができる。
【０１０３】
具体的には、ＭＦＰ１００の描画制御部１０３は解像度変換部１０６を備え、必要に応じて、表示データ１０４の解像度を解像度変換部１０６で変換して表示メモリ１０５に記憶できるようになっている。一方、ＩＴ機器２００の描画制御部２０３も解像度変換部２０６を備え、必要に応じて、表示データ２０４の解像度を解像度変換部２０６で変換して表示メモリ２０５に記憶できるようになっている。ＭＦＰ１００及びＩＴ機器２００の解像度変換部１０６、２０６以外の構成は図１に示したものと同じであるため、同一構成部分については図１と同一の符号を付し、詳細な説明は省略する。
【０１０４】
１つの操作表示部３００を共用する場合、ＭＦＰ１００及びＩＴ機器２００は、操作表示部３００のデバイスの解像度に合わせて表示データを生成する必要がある。しかし、ＭＦＰ１００及びＩＴ機器２００は元々独立して動作可能であるため、各装置の表示データの解像度が操作表示部３００の解像度と異なっている場合がある。特に、既存のＭＦＰ１００やＩＴ機器２００を組み込んで複合装置１０を構成する場合は、表示データはそれぞれが有していた操作表示部のデバイスの解像度となっているため、操作表示部３００の解像度とは異なっている可能性が高い。このため、ＭＦＰ１００、ＩＴ機器２００で表示データの解像度が異なる場合は、表示データ１０４。２０４を生成して表示メモリ１０５、２０５に格納するまでに解像度変換を行う必要がある。
【０１０５】
そこで、図１３に示したように、ＭＦＰ１００及びＩＴ機器２００に解像度変換部１０６、２０６を設け、これらの解像度変換部１０６、２０６により表示データ１０４、２０４の解像度変換を行った上で表示メモリ１０５、２０５に格納するようになっている。
【０１０６】
図１４は解像度変換の概要を説明するための図である。図１４の例では、複合装置１０の操作表示部３００のデバイスの解像度は1366×768dotであり、ＭＦＰ１００が備える表示データ１０４も1366×768dotであり、両者の解像度は同じである。従って、ＭＦＰ１００の描画制御部１０３は、その表示データ１０４を表示するときは、そのまま表示データ１０４を表示メモリ１０５に格納し、操作表示部３００に表示すれば良い。
【０１０７】
一方、ＩＴ機器２００が備える表示データ２０４が800×480dotの表示データの場合、そのままその表示データ２０４を表示メモリ２０５に格納するのではなく、解像度変換部２０６で解像度を1366×768dotに変換した後、解像度変換後の表示データを表示メモリ２０５に格納し、操作表示部３００に表示する。この場合、図１５のように画面が拡大される。
【０１０８】
このように、操作表示部３００の表示解像度とＭＦＰ１００またはＩＴ機器２００の表示解像度が異なる場合、解像度変換部１０６、２０６により、表示データはその表示解像度が操作表示部３００と同じ表示解像度に変換された状態で操作表示部３００に表示されるから、常に最適な表示解像度で表示データを操作表示部３００に表示することができる。
【０１０９】
以上、本発明の一実施形態を説明したが、本発明は上記実施形態に限定されることはない。例えば複合装置１０を構成する第１及び第２の装置がＭＦＰ１００とＩＴ機器２００である場合を示したが、これらに限定されることはなく、また３台以上の装置に対して１つの操作表示部３００を共用する複合装置１０であっても良い。
【符号の説明】
【０１１０】
１０    複合装置
２０    切替え制御部
３０    セレクタ
１００  第１の装置（画像形成装置（ＭＦＰ））
１０２  システム制御部
１０３  描画制御部
１０４  表示データ
１０５  表示メモリ
１０６  解像度変換部
２００  第２の装置（情報処理装置（ＩＴ機器））
２０２  システム制御部
２０３  描画制御部
２０４  表示データ
２０５  表示メモリ
２０６  解像度変換部
３００  操作表示部
【図１】
2018093360.tif 000003
【図２】
2018093360.tif 000004
【図３】
2018093360.tif 000005
【図４】
2018093360.tif 000006
【図５】
2018093360.tif 000007
【図６】
2018093360.tif 000008
【図７】
2018093360.tif 000009
【図８】
2018093360.tif 000010
【図９】
2018093360.tif 000011
【図１０】
2018093360.tif 000012
【図１１】
2018093360.tif 000013
【図１２】
2018093360.tif 000014
【図１３】
2018093360.tif 000015
【図１４】
2018093360.tif 000016
【図１５】
2018093360.tif 000017